(57)【要約】      （修正有）【課題】スレート、トタン等で構成された屋根で上載荷重に対し強度が十分でない処でも安全に機器設置可能とする屋根構造であって、屋根の上に金網ネットを上載せ張設することによって、作業者による屋根上組立設置作業中おいて、スレート、トタン等が破損により発生する落下人身事故を防ぎ、太陽光発電用パネルを固定可能とした軽量鉄骨屋根構造を提供する。【解決手段】梁２を有する鉄骨屋根におけるスレート、トタン等で構成された屋根材３の上に太陽光発電パネル等の追加機器を設置可能な屋根構造において、屋根材の上に金網ネット４を敷設して接着剤により接着固定すると共に、金網ネット上面に、直接又は仲介部材を介して太陽光発電用パネル５を固定可能とした。【選択図】図１
0003193860.tif 000002
【実用新案登録請求の範囲】
【請求項１】
梁を有する鉄骨屋根におけるスレート、トタン等で構成された屋根材の上に太陽光発電パネル等の追加機器を設置可能な屋根構造において、当該屋根材の上に金網ネットを敷設して接着剤により接着固定すると共に、当該金網ネット上面に、直接又は仲介部材を介して太陽光発電用パネルを固定可能とした軽量鉄骨屋根構造。
【請求項２】
請求項１において、前記金網ネット上面に太陽光発電用パネルを固定する仲介部材が、屋根材に接着した仲介梁である軽量鉄骨屋根構造。
【請求項３】
請求項１において、前記金網ネット上面に太陽光発電用パネルを固定する仲介部材が、前記金網ネット上面に接着剤及び／又は針金緊締により固定された架台である軽量鉄骨屋根構造。
【考案の詳細な説明】
【技術分野】
【０００１】
本考案は、鉄骨製の梁に波型スレート等屋根材を施こした軽量屋根構造に関し、特にこの軽量鉄骨屋根への太陽光パネル設置作業に際して、作業者の安全を確保するため、軽量鉄骨屋根上で作業する作業者が軽量屋根からその破断によって落下することなく、作業者がより安全に設置作業を遂行できるための足場用金網ネットを付設した軽量鉄骨屋根構造に関するものであり、屋根張り工事作業者の屋根材破壊による屋根からの落下の危険を防止し、安心して屋根張り作業に従事できる環境を確保した上で屋根現場における所定の安全作業を可能とする軽量鉄骨屋根構造に係る考案である。
【背景技術】
【０００２】
スレート、トタン等の屋根材（以下「スレート屋根材」で代表する。）は、鉄骨製の梁にスレート屋根材を施工するものとして軽量屋根が構成されていて、これらの屋根材を鉄骨製の梁部材に固定支持する軽量建物の軽量鉄骨屋根構造において、スレート屋根材の上に太陽光発電用パネルを上載設置する場合には、屋根として張られるスレート、トタン等に孔を開け、これを支持する鉄骨製の梁部材にボルトで締結することにより太陽光発電パネル体を、直接又は架台を介在して固定することが一般的に行われている（図４又は図６参照）。また、前記架台の代用として、長尺の鉄骨材を利用することもあった（図５参照）。
【０００３】
そして、上記、図４ないし図６に示された屋根構造のいずれにおいても、軽量屋根における梁設置のスパンは、軽量化の観点から少なくとも張られたスレート屋根板の重量支持を満足すれば十分であり、その後、太陽光電池パネル体を上載設置するに当って、スレート屋根板自体はその上で作業者の重量を支え得る強度までは十分配慮されていなかった。そして軽量屋根の鉄骨製の梁部材の足場にする危険度の高い作業環境のなかでの曲芸的作業を強いられるものであった。
掛る対処法として、局部的な集中荷重を回避しながら屋根作業者の重量を支持するための足場板を設置も講じた対策も取られている（特開２００８−２６６９２０）。しかし、足場自体、分割体の連結組立構造を有するものであることからの製作手間を要し、また軽量屋根の鉄骨製の梁に対しては荷重負荷を与えることは否めなかった。
【０００４】
さらに、図６は、本考案に係る従来の軽量屋根として、鉄骨製の梁部材上に張設した波型スレート、波型トタン等の屋根材３で構成された屋根構造１を部分的な模式図として示す。屋根材３はこれに穿設した挿通孔（図示省略）にボルト１６を挿通し、鉄骨製の梁２に締着し固定される。かかる軽量鉄骨屋根構造１において、屋根材３の上部に、更に太陽光発電パネル体１５を取付け付設する場合には、この取付けに当って、屋根材３に中間材の架台９を介して設置される。架台９はボルト１０より締着される。この場合、前記屋根材３には、梁２への取付けに必要なボルト孔が穿設されていると共に、新たに前記架台取着用のボルト１０のための挿通孔が別途穿設されることとなり、挿通孔の増設に伴う雨漏りの原因となる構造を有するものであり、更には強度を弱めるおそれがあった。
【０００５】
上記のように、屋根材に異なる部材の取着毎に、追加的に孔を開けることとなる場合には、屋根部材の荷重強度の低下をもたらし、また鉄骨製の梁部材間で支持された波型スレート１３ａの長期使用よる劣化に伴い強度が低下することと相俟って、孔部分や表面に設置器具や工事人の負荷が足元に集中的に荷重されたときにスレート自体が破壊する恐れがあり、延いては波型スレートの大きな破断へと広がり、作業者の屋根から落下する危険を生じ、人命を落とす危険すらあるものであり、特に軽量屋根上の作業において安全上の一つの問題を抱えるものであった。
【先行技術文献】
【特許文献】
【０００６】
【特許文献１】特開２０１２−１８２３２３号公報
【特許文献２】特開２００８−２６６９２０号公報
【特許文献３】特開２０１３−１３６９２９号公報
【考案の開示】
【考案が解決しようとする課題】
【０００７】
そこで、本考案は、軽量鉄骨屋根構造において、既設又は新設のスレート、トタン等の屋根材の上面に、金網ネットを張設取着することを特徴とするものである。これによって、作業者は金網ネット材の上に乗って作業するとき、作業者の荷重が分散して支えられるようにしたものので、スレートに集中荷重が加えることがなく所定の作業が可能となる。したがって、作業者は自分の重量が金網ネット材において分散的に支えられ、鉄骨製の梁上にねじ締着して張設された波板スレートの上面に更に張設取着した金網ネット上に、太陽光発電体等の付属機器を針金による緊結等を作業をする場合においても、安全に付属機器の取着作業を実行することができる。
要すれば、軽量鉄骨屋根構造における屋根材の地面への金網ネットの張設によって作業中作業者は金網ネット上に支持されるので、作業時に波型スレートに直接乗ることはなく、クッション材としての機能を有すると共に、従来のように直に荷重が加えられたときに、波型スレートを衝いて破断し、屋根から落下する恐れはなくなる。このことからこの金網ネットは足場材ないしは安全ネットとして機能することができるものである。
【０００８】
本考案は上記課題を解決するために、スレート、トタン等で屋根材が構成されている軽量鉄骨建物において、屋根材上面に追加的に太陽光発電用パネルを設置する場合でも、太陽光発電用パネルを設置する現場の作業者が安全に所定の作業ができるように作業足場を確保すると共に、当該作業足場の敷設設置を簡単に実行でき、軽量な構造体を利用し安価な材料費で提供できるものとして案出された。
【課題を解決するための手段】
【０００９】
本考案は、スレート、トタン等で構成されている屋根の上に金網ネットを張設すると共に、その上に太陽光パネルを設置するに際して、当該ネットを介して太陽光発電用パネルを固定可能としたスレート屋根構造を提供するものである。
【考案の効果】
【００１０】
本考案によれば、スレート、トタン等で構成されている屋根の上載荷重に対して強度が十分でない処に軽量な機器を設置する屋根構造において、屋根の上にネットを張り、その上に太陽光パネルを設置するに際して、人が作業する場合、スレート、トタン等が破損してもネットがあるために人が落下することがなく事故を防ぐことができる。
したがって、従来、軽量鉄骨上にスレート、トタン等で構成された屋根構造において、その上載荷重に対し強度が十分でない処に軽量な機器、例えば太陽光パネルを設置する場合であっても、その屋根構造において、金網ネットを張設したことによって、スレート、トタン等が破損して作業者が落下する惧れを回避することができる。
また、敷設された金網ネット自体に太陽光発電用パネルを固定して設置するものであるので、屋根材としてのスレート等に孔を開けることの必要がなく、これら孔増加に伴う追加的な屋根の雨漏りの虞もなくなる。
金網ネットのスレート上面への張設取着に当っては、接着剤の介在により実行される。また、太陽光発電パネル体の金網ネット上面への取着に当っても、接着剤の介在により実行することでも差し支えない。もちろん針金による緊締と併用することは任意であり、針金による緊締だけでも構わない。
したがって本考案に係る屋根構造では、屋根の屋根材を直接傷つけることがないので、現在の屋根を使用する場合でも、水漏れ防止、屋根強度維持の点から、非常に有利である。
要すれば、太陽光発電用パネル体等の軽量な機器を設置する屋根構造において、上載荷重に対して強度が十分でない処においても、金網ネットに安全が保障されるので、軽量鉄骨屋根構造にあっても安全に機器設置作業を遂行することができる。
【図面の簡単な説明】
【００１１】
【図１】本考案に係る屋根構造の第１実施例の模式図であり、（ａ）は部分的斜視図を示し、（ｂ）は、鉄骨の梁の方向で見た横断面図を示す。
【図２】本考案に係る屋根構造の第２実施例の模式図であり、（ａ）は部分的斜視図を示し、（ｂ）は、（ａ）図の鉄骨の梁の方向で見た斜視図である。
【図３】本考案に係る屋根構造の第３実施例の模式図であり、架台についての２例を示すと共に、架台への太陽光発電用パネル体の取付け前、取付け後の状態を模式的に示す。
【図４】第１実施例に対する先行例として金網ネットのない屋根構造の模式図である。
【図５】第２実施例に対する先行例として金網ネットのない屋根構造の模式図である。
【図６】第３実施例に対する先行例として金網ネットのない屋根構造の模式図である。
【実施例】
【００１２】
本考案は、屋根に太陽光発電パネル単位体を設置するに際して、スレート、トタン等で構成されている屋根の上に金網ネットを張設すると共に、その上に太陽光パネルを設置するに際して、当該金網ネットを介して太陽光発電用パネル単位体を固定可能とするものであるが、太陽光発電用パネル単位体の屋根に対する取着形態として、直接張設取着した金網ネットに直接接着剤７で接着し且つ針金緊締６した実施例１、中間梁を介して接着張設した金網ネットに直接接着剤７で接着し且つ針金緊締６した実施例２、直接張設取着した金網ネットに架台を接着剤７で接着し且つ針金緊締６し、この架台を介して太陽光発電用パネル単位体をクランプ乃至ねじ止めした実施例３として、以下に説明する。
【実施例１】
【００１３】
図１において、屋根１に太陽光発電パネル体５を設置するに際して、スレート、トタン等の屋根材３で構成された屋根１の上に金網ネット４が張設されると共に、その金網ネット４の上に太陽光パネル５を設置するに際して、当該金網ネット４に対して太陽光発電用パネル体５を固定する。この金網ネット４のスレート３上面への張設取着に当っては、接着剤７の介在により接着固接される。また、太陽光発電パネル体５を金網ネット４上面へ取着するに当って、接着剤７の介在により接着することのみでも差し支えない。もちろん太陽光発電パネル体５と金網ネット４間に針金を架け渡して緊締する針金緊締６と併用することは任意であり、針金緊締６のみでも構わない。
針金による緊締により接着剤による接着固化を確実にし、一層強固な固着状態を確保することが可能となる。
【実施例２】
【００１４】
図２において、屋根１に太陽光発電パネル単位体５を設置するに際して、スレート、トタン等で構成されている屋根材３の上に中間梁８が接着等により取着され、当該中間梁８を介してこれに接着張設した金網ネット４に直接接着剤７及び／又は針金緊締６により太陽光発電パネル単位体５が固定される。
当該金網ネットに対する太陽光発電用パネル単位体５の固定手段については実施例１と同様である。
接着剤による接合構造は、実施例１と同様であり、図面上省略されている。
【実施例３】
【００１５】
図３において、本考案に係る屋根構造は、屋根１の屋根材が例えば波型スレート３で構成され、この波型スレート３の屋根材が鉄骨製の梁２上に架け渡して敷設され通常ボルト締めにより取着される。この実施例でも上記実施例と同様、屋根材３の上に金網ネット４が張設されている。この実施例では、さらに、金網ネット４の上面に、架台９が直接接着剤７及び／又は針金緊締６によりネット金網に固定され、架台に対して、太陽光発電パネル体５が取着される。
この実施例においても、接着剤による接合構造は、実施例１と同様であり、図面上省略した。
【００１６】
上記実施例では、金網ネットの取付けについて、直接接着剤７で接着し且つ針金緊締６したものとして説明したが、接着剤７による接着と針金緊締６を必須とするものではなく、接着剤７による接着のみでもよいし、針金緊締６のみでもよく、少なくともそれらに１つの手段により取り付けられるものであってよく、「接着剤及び／又は針金緊締により」とはこの意味である。
また、架台の構造としては、図３に示すように、一体型（９Ａ）又は２分割型（９）の構造を採用することができる。架台に対して太陽光発電パネルユニット５を図示のごとく差し込みスライドした後、所定の位置に適宜固定手段、例えば、ねじ止め、クランプ止め等を選択して固定される。
【００１７】
本考案の金網ネットを敷設した屋根構造によれば、従来上載荷重に対して強度が十分でない屋根箇所にあっても、張設された当該金網ネットにより荷重が分散して支持されるので、例えば太陽光発電パネル５等の機器を追加設置するに際しても、足場を確保して安全に組立据付け作業を行うことができることはもちろん、金網ネット４の荷重強度以内で他の機器を追加敷設することも可能となる。
【００１８】
以上上記実施例によれば、屋根材３の上に金網ネット４が上載せ張設されているので、軽量屋根構造であっても、太陽光発電パネル体５を設置する作業者の設置作業に際して、当該屋根１上の張設金網ネット４が作業足場としての機能を果たすことになるので、作業中に作業人が落下する恐れがなく、場合によってスレート、トタン等の耐用年数の経過に伴い低下し破損しやすくなり、また万が一破損したとしても、また、太陽発電パネル体の屋根への据付け中に、組立部品、関連部品等が万が一落下したとしても、張設金網ネット４の存在によって張設金網ネットが落下防止ネットとしての機能を果たすことになり、破損したスレート、トタン等が破損孔を通過する落下事故を補足的に防ぐことにもつながる。
【符号の説明】
【００１９】
１  屋根
２  鉄骨製の梁
３  屋根材（スレート又はトタン）
４  金網ネット
５  軽量太陽光発電パネル体
６  針金緊締
７  接着剤
８  中間梁
９  架台
【図１】
0003193860.tif 000003
【図２】
0003193860.tif 000004
【図３】
0003193860.tif 000005
【図４】
0003193860.tif 000006
【図５】
0003193860.tif 000007
【図６】
0003193860.tif 000008